(57)【要約】【課題】省スペース化、薄型化を可能として、かつ容易に組立、リペア等の作業が行えると共に、衝撃にも強い表示パネルの保持構造及びそれを備えた電子機器を提供する。【解決手段】ホルダー２３の第１側壁２３ａにフレキ保持部２６を形成し、このフレキ保持部２６にフレキ挿入口２８を形成する。表示パネル２０の裏面に矩形枠状の両面テープ２５を貼り付ける。表示パネル２０に一端が接続されたフレキシブルケーブル２１の他端２１ａ側をフレキ挿入口２８に挿入した状態で、表示パネル２０をホルダー２３の底壁２３ｅに貼り付けてホルダー２３に収納した上で、フレキシブルケーブル２１をＵ字に湾曲させた状態でその他端２１ａを液晶側基板８（電子基板）のコネクタに接続し、ホルダー２３を液晶側基板８に保持する。このとき、両面テープ２５における表示パネル２０側の粘着力をホルダー２３の底壁２３ｅ側の粘着力よりも弱くする。【選択図】図５
2007271894.tif 000002
【特許請求の範囲】
【請求項１】
表示パネルの保持構造において、
上記表示パネルは、ホルダーを介して電子基板に保持され、
上記ホルダーは、略矩形容器状に形成され、複数の側壁と、底壁とを備え、
上記表示パネルには、フレキシブルケーブルの一端が接続され、
上記底壁には、上記表示パネルの裏面側を露出させるための表示パネル用開口が形成され、
上記複数の側壁のうち１つの側壁には、上記フレキシブルケーブルに対応するようにフレキ保持部が形成され、該フレキ保持部にフレキ挿入口が形成され、
上記表示パネルの裏面には、矩形枠状の両面テープが貼り付けられ、
上記フレキシブルケーブルの他端側が上記フレキ挿入口に挿入された状態で、上記表示パネルが上記ホルダーの底壁に貼り付けられて該ホルダーに収納され、
上記フレキシブルケーブルがＵ字に湾曲された状態でその他端が上記電子基板のコネクタに接続され、
上記両面テープにおける表示パネル側の粘着力は、上記ホルダーの底壁側の粘着力よりも弱くなっている
ことを特徴とする表示パネルの保持構造。
【請求項２】
請求項１に記載の表示パネルの保持構造において、
上記両面テープと上記ホルダーの底壁との間には、導光板が挟み込まれている
ことを特徴とする表示パネルの保持構造。
【請求項３】
請求項２に記載の表示パネルの保持構造において、
上記導光板の対向する一対の側面には、外方へ突出する係止部が形成され、
上記表示パネル用開口の周縁には、上記係止部に対応するように係止用凹部が形成されている
ことを特徴とする表示パネルの保持構造。
【請求項４】
請求項１乃至３のいずれか１つに記載の表示パネルの保持構造において、
上記第１側壁に対向する第２側壁の内面には、第１側壁側へ突出するパネル位置決め用突起が形成され、
上記両面テープの上記第２側壁側には、上記パネル位置決め用突起に係合する位置決め用凹部が形成されている
ことを特徴とする表示パネルの保持構造。
【請求項５】
請求項１乃至４のいずれか１つに記載の表示パネルの保持構造において、
上記ホルダーの底壁の対向する端部には、下側へ突出する一対のホルダー固定用爪が形成されている
ことを特徴とする表示パネルの保持構造。
【請求項６】
請求項１乃至５のいずれか１つの表示パネルの保持構造を備えている
ことを特徴とする電子機器。
【請求項７】
携帯通信機器である
ことを特徴とする請求項６の電子機器。
【発明の詳細な説明】
【技術分野】
【０００１】
本発明は、表示パネルの保持構造及びそれを備えた電子機器に関するものである。
【背景技術】
【０００２】
従来より、表示ユニットを有する電子機器は、表示パネル（ＬＣＤ）を固定する手段としてホルダーを使用している。表示パネルのホルダーへの固定方法の一例を図６及び図７に示す。図７に示すように、サブ表示部１０７は、ＬＣＤよりなる表示パネル２０と、該表示パネル２０と液晶側基板（図示せず）とを接続するフレキシブルケーブル２１と、該表示パネル２０を固定するホルダー１２３とを備えている。図６に示す組立状態においては、略Ｕ字状に湾曲させたフレキシブルケーブル２１が直線状態に戻ろうとする復元力によって、表示パネル２０が浮き上がる（図８に示す）のを防止するために、例えば、粘着力が両面とも２０Ｎ／２０ｍｍと強粘着の両面テープ１２５が使用されている。
【０００３】
また、別のサブ表示部２０７の例では、図９に示すように、ホルダー２２３のフレキシブルケーブル２１と反対側側壁２２３ｂにパネル係止用爪２２９を複数設けて、このパネル係止用爪２２９によって表示パネル２０を押さえつけて固定し、湾曲させたフレキシブルケーブル２０の復元力によって表示パネル２０が浮き上がるのを防止するようにしている。
【０００４】
また、例えば、特許文献１では、ホルダーと基板の隙間にフレキシブルケーブルを湾曲させて通し、表示パネルとホルダーとを両面テープで固定する構造がとられている。
【０００５】
さらに、例えば、特許文献２では、偏光板の寸法を透明基板の寸法よりも小さくして段差を設け、この段差部に傾斜面を当接させて係止させる構造がとられている。
【特許文献１】特開平１１−１２２３３１号公報
【特許文献２】特開２００１−１５４１７６号公報
【発明の開示】
【発明が解決しようとする課題】
【０００６】
ところで、表示パネルを備えた電子機器の小型化、薄型化が進むにつれて、表示パネル及びホルダーの小型化、薄型化が必要となると共に、破損に対する対策、組立作業性の向上やリペア性も望まれている。
【０００７】
上記特許文献１のような両面テープによる表示パネルの固定方法では、フレキシブルケーブルを湾曲させて使用する場合に、両面テープの粘着力を強くすることにより、表示パネルの浮き上がりを防止しているが、両面テープを強粘着にすると、リペア等でホルダーから表示パネルを外すことが困難となり、ガラスの割れやＬＣＤ裏面に使用されている裏面偏光板の剥がれ等、表示パネルの破損が発生していた。また組立においても、貼り直しが困難なため、作業性が悪いという問題がある。
【０００８】
上記特許文献２のように、爪や傾斜面等に表示パネルを押さえつけて固定する方法では、組立作業性やリペア性には優れるが、爪や傾斜面等に当接した部分に集中応力が掛かるため、衝撃が加わったときに、表示パネルを破損させることがある。また、組立時には、爪や傾斜面等が表示パネルのエッジ部で削れて、表示部にゴミが付着することがある。しかも、表示パネルの上面に爪を用いる場合には、余計に厚みを必要とし、薄型化が困難であった。
【０００９】
本発明は、かかる点に鑑みてなされたものであり、その目的とするところは、省スペース化、薄型化を可能として、かつ容易に組立、リペア等の作業が行えると共に、衝撃にも強い表示パネルの保持構造及びそれを備えた電子機器を提供しようとするものである。
【課題を解決するための手段】
【００１０】
上記の目的を達成するために、この発明では、一端が表示パネルに接続されたフレキシブルケーブルの他端側をフレキ挿入口に挿入した状態で表示パネルをホルダーの底壁に貼り付けるようにした。
【００１１】
具体的には、第１の発明では、表示パネルの保持構造を前提とし、
上記表示パネルは、ホルダーを介して電子基板に保持され、
上記ホルダーは、略矩形容器状に形成され、複数の側壁と、底壁とを備え、
上記表示パネルには、フレキシブルケーブルの一端が接続され、
上記底壁には、上記表示パネルの裏面側を露出させるための表示パネル用開口が形成され、
上記複数の側壁のうち１つの側壁には、上記フレキシブルケーブルに対応するようにフレキ保持部が形成され、該フレキ保持部にフレキ挿入口が形成され、
上記表示パネルの裏面には、矩形枠状の両面テープが貼り付けられ、
上記フレキシブルケーブルの他端側が上記フレキ挿入口に挿入された状態で、上記表示パネルが上記ホルダーの底壁に貼り付けられて該ホルダーに収納され、
上記フレキシブルケーブルがＵ字に湾曲された状態でその他端が上記電子基板のコネクタに接続され、
上記両面テープにおける表示パネル側の粘着力は、上記ホルダーの底壁側の粘着力よりも弱くなっている。
【００１２】
上記の構成によると、略Ｕ字状に湾曲させたフレキシブルケーブルが元に戻ろうとする復元力が、表示パネルをホルダーから浮き上がらせようとするが、フレキシブルケーブルの他端側がフレキ保持部のフレキ挿入口に挿入されているので、その復元力はフレキ挿入口を形成するフレキ保持部の側面に伝わる。このため、フレキシブルケーブルの復元力は、表示パネルをホルダーから浮かそうとする力ではなく、ホルダーそのものを浮こうとする力になるため、表示パネルを比較的弱い粘着力でホルダーに貼り付けていても、ホルダーさえ固定しておけば、表示パネルがホルダーから浮き上がることはない。また、表示パネルを比較的弱い粘着力でホルダーに貼り付けているので、ホルダーに両面テープを貼り付けたままで、リペア等で表示パネルをホルダーから取り外すのが容易となり、取り外しの際に表示パネルを構成するガラスの割れや裏面偏光板の剥がれ等の破損が防止される。組立においても、貼り直しが容易であるため、作業性がよく、また、ホルダーに両面テープを貼り付けたままで表示パネルを取り外せば、両面テープの貼り替えをすることなく再度使用することも可能となる。さらに、爪等による表示パネルを押さえつけた固定方法を採用していないため、爪等が当接した部分に集中応力が掛かることもなく、衝撃が加わったときでも表示パネルの破損が防止され、また、組立時に爪等が表示パネルのエッジ部で削れて表示部にゴミが付着することもない。しかも、表示パネルの上面に爪を用いることはなく、ホルダーの薄型化が可能である。
【００１３】
第２の発明では、上記両面テープと上記ホルダーの底壁との間には、導光板が挟み込まれている。
【００１４】
上記の構成によると、両面テープによって導光板も取り付けられるので、取付作業が容易になる。
【００１５】
第３の発明では、上記導光板の対向する一対の側面には、外方へ突出する係止部が形成され、
上記表示パネル用開口の周縁には、上記係止部に対応するように係止用凹部が形成されている。
【００１６】
上記の構成によると、導光板の係止部を表示パネル用開口の周縁の係止用凹部に係合させることにより、導光板の位置決めが行われる。このため、導光板がある場合でも、表示パネルの取付作業が容易である。
【００１７】
第４の発明では、上記第１側壁に対向する第２側壁の内面には、第１側壁側へ突出するパネル位置決め用突起が形成され、
上記両面テープの上記第２側壁側には、上記パネル位置決め用突起に係合する位置決め用凹部が形成されている。
【００１８】
上記の構成によると、第２側壁のパネル位置決め用突起を両面テープの位置決め用凹部に係合させることにより、両面テープが正確に位置決めされ、表示パネル用開口を塞ぐことはないので、表示パネルの取付作業が容易である。
【００１９】
第５の発明では、上記ホルダーの底壁の対向する端部には、下側へ突出する一対のホルダー固定用爪が形成されている。
【００２０】
上記の構成によると、ホルダー固定用爪を電子基板に係止させることでホルダーが確実に電子基板に固定される。
【００２１】
第６の発明では、電子機器は、上記表示パネルの保持構造を備える構成とする。
【００２２】
上記の構成によると、電子機器の省スペース化、薄型化が可能となり、かつ容易に表示パネルの組立、リペア等の作業が行えると共に、衝撃にも強い電子機器が得られる。
【００２３】
第７の発明では、電子機器は、携帯通信機器である。
【００２４】
上記の構成によると、携帯通信機器は、外出時に持ち出すことが多いため、小型化が要求されると共に、頻繁に落下することが予想されるので、本発明の表示パネルの保持構造の使用に適している。
【発明の効果】
【００２５】
以上説明したように、本発明によると、一端が表示パネルに接続されたフレキシブルケーブルの他端側をフレキ挿入口に挿入した状態で表示パネルをホルダーの底壁に貼り付けることにより、省スペース化、薄型化を可能として、かつ容易に組立、リペア等の作業が行えると共に、衝撃にも強い、表示パネルの保持構造及びそれを備えた電子機器を提供することができる。
【発明を実施するための最良の形態】
【００２６】
以下、本発明の実施形態を図面に基づいて説明する。
【００２７】
図１及び図２は本発明の実施形態１の表示パネルの保持構造を備えた電子機器（携帯通信機器）としての携帯電話機を示す。
【００２８】
図１及び図２に示すように、本実施形態の携帯電話機１は、第１の筐体２と第２の筐体３とを有し、これら第１の筐体２と第２の筐体３とが、ヒンジ部４によって回転可能に結合されている。第１の筐体２の内側（表面側）には、受話部５及び表示部６が設けられている。第１の筐体２の外側（裏面側）には、時計表示や通信時の相手の名前を表示するためのサブ表示部７等が設けられている。
【００２９】
上記第２の筐体３の内側には、各種機能の切替や決定をするための機能ボタン１１、情報を入力する入力ボタン１２、受話部１３等が設置されている。
【００３０】
上記第１の筐体２を覆うキャビネットは、表裏分割式となっている。図３にその裏側キャビネット２ａを取り外した様子を示す。上記サブ表示部７は、電子基板としての液晶側基板８の背面側に設けられている。
【００３１】
図４及び図５に示すように、サブ表示部７は、例えばＬＣＤよりなる矩形板状の表示パネル２０と、該表示パネル２０と上記液晶側基板８とを接続するフレキシブルケーブル２１と、該表示パネル２０を固定するホルダー２３とを備えている。表示パネル２０は、ホルダー２３を介して液晶側基板８に保持されるようになっている。
【００３２】
上記表示パネル２０の長手方向に伸びる一方の側面２０ａに、該表示パネル２０の幅方向に伸びるフレキシブルケーブル２１の一端が接着により接続されている。
【００３３】
上記表示パネル２０の裏側には、導光板２４が、略矩形枠状の両面テープ２５によって貼り付けられている。導光板２４は、アクリル板の表面に特殊な加工をほどこして、端面より入れた光を均一に面発光させる板である。導光板２４の長手方向両側面には、外方へ突出する係止部２４ａが形成されている。
【００３４】
上記ホルダー２３は、上記表示パネル２０が嵌め込まれるように略矩形容器状に形成され、第１乃至第４側壁２３ａ〜２３ｄと、底壁２３ｅとを備えている。底壁２３ｅには、上記表示パネル２０の裏面側を露出させるための表示パネル用開口２３ｆが形成されている。表示パネル用開口２３ｆの周縁には、上記係止部２４ａに対応するように係止用凹部２３ｇが形成されている。
【００３５】
上記両面テープ２５における表示パネル２０側の粘着力は、ホルダー２３の底壁２３ｅ側の粘着力よりも弱くなっている。例えば、片面弱粘着（２．８８Ｎ／２０ｍｍ、）、片面強粘着（１６Ｎ／２０ｍｍ）のもので構成されている。弱粘着面２５ａ側は、貼り直しも可能であるため、組立作業性がよく、リペア性に優れている。この弱粘着面２５ａを表示パネル２０側に、強粘着面（図示せず）をホルダー２３側に貼り付けている。
【００３６】
長手方向に伸びる第１側壁２３ａには、平面視コ字状に膨出成形されたフレキ保持部２６が形成されている。フレキ保持部２６の底面及び上記フレキシブルケーブル２１が伸びる側の側面下側は、連続して切り欠かれたフレキ挿入口２８が形成されている。
【００３７】
上記第１側壁２３ａに対向する第２側壁２３ｂの内面には、第１側壁２３ａ側へ突出するパネル位置決め用突起２９が形成されている。一方、上記両面テープ２５の第２側壁２３ｂ側には、上記パネル位置決め用突起２９に係合する位置決め用凹部２５ｂが形成されている。
【００３８】
図５に二点差線で示すように、フレキシブルケーブル２１の他端２１ａ側が上記フレキ挿入口２８に挿入された状態で、図４に示すように、表示パネル２０がホルダー２３の底壁２３ｅに貼り付けられて該ホルダー２３に収納されている。
【００３９】
上記ホルダー２３の底壁２３ｅの対向する端部（第１側壁２３ａ及び第２側壁２３ｂ中央下側）には、下側へ突出する一対のホルダー固定用爪３０が形成されている。このホルダー固定用爪３０を液晶側基板８に係止させることで、ホルダー２３が確実に液晶側基板８に固定されるようになっている。
【００４０】
図４に示すように、フレキシブルケーブル２１がＵ字に湾曲された状態でその他端２１ａが上記液晶側基板８のコネクタ（図示せず）に接続されている。このことで、省スペースが可能となっている。表示パネル２０がホルダー２３から浮き上がろうとする力は、フレキ保持部２６により低減されるようになっている。
【００４１】
−組立手順−
次に、本実施形態にかかるサブ表示部の組立手順について説明する。
【００４２】
まず、導光板２４をホルダー２３に組み込む。この際、導光板２４の係止部２４ａを表示パネル用開口２３ｆの周縁の係止用凹部２３ｇに係合させることで、導光板の位置決めがされる。
【００４３】
次いで、両面テープ２５の強粘着面を導光板２４が組み込まれたホルダー２３に貼り付ける。この際、パネル位置決め用突起２９を両面テープ２５の位置決め用凹部２５ｂに係合させることで位置決めされる。このため、両面テープ２５が表示パネル用開口２３ｆを塞ぐことはない。
【００４４】
次いで、表示パネル２０から伸びるフレキシブルケーブル２１の他端２１ａをフレキ保持部２６のフレキ挿入口２８に通しながら、表示パネル２０をホルダー２３に貼り付けられた両面テープ２５の弱粘着面により、ホルダー２３に貼り付ける。このとき、表示パネル２０のフレキシブルケーブル２１と反対側側面をホルダー２３のパネル位置決め用突起２９に押し付けながら位置決めする。このことで、表示パネル２０はホルダー２３に確実に位置決めされる。ここでは、従来のように、表示パネル２０に直接、爪等を当接させて表示パネル２０をホルダー２３に固定していない。
【００４５】
次いで、フレキシブルケーブル２１をＵ字状に湾曲させた状態で、その他端２１ａを液晶側基板８のコネクタに接続する。
【００４６】
最後に表示パネル２０のホルダー２３のホルダー固定用爪３０を液晶側基板８の所定位置に嵌め込む。
【００４７】
−実施形態の効果−
したがって、本発明の実施形態にかかる表示パネル２０の保持構造によると、略Ｕ字状に湾曲させたフレキシブルケーブル２１が元に戻ろうとする復元力が、表示パネル２０をホルダー２３から浮き上がらせようとするが、フレキシブルケーブル２１の他端２１ａ側がフレキ保持部２６のフレキ挿入口２８に挿入されているので、その復元力はフレキ挿入口２８を形成するフレキ保持部２６の側面に伝わる。このため、フレキシブルケーブル２１の復元力は、表示パネル２０をホルダー２３から浮かそうとする力ではなく、ホルダー２３そのものを浮こうとする力になるので、表示パネル２０を比較的弱い粘着力でホルダー２３に貼り付けていても、ホルダー２３さえ固定しておけば、表示パネル２０がホルダー２３から浮き上がることはない。
【００４８】
また、表示パネル２０を比較的弱い粘着力でホルダー２３に貼り付けているので、リペア等でホルダー２３から表示パネル２０を取り外すのが容易となり、取り外しの際に表示パネル２０を構成するガラスの割れや裏面偏光板の剥がれ等の破損が防止される。
【００４９】
組立においても、貼り直しが容易であるため、作業性がよく、また、両面テープ２５をホルダー２３に貼り付けたままで表示パネル２０を取り外せば、両面テープ２５の貼り替えをすることなく両面テープ２５を再度使用することも可能となる。
【００５０】
さらに、爪等による表示パネル２０を押さえつけた固定方法を採用していないため、爪等が当接した部分に集中応力が掛かることもなく、衝撃が加わったときでも表示パネル２０の破損が防止される。また、組立時に爪等が表示パネル２０のエッジ部で削れて表示部にゴミが付着することもない。しかも、表示パネル２０の上面に爪を用いることはなく、ホルダー２３の薄型化が可能である。
【００５１】
また、携帯電話機１に代表される携帯通信機器は、外出時に持ち出すことが多いため、小型化が要求されると共に、頻繁に落下することが予想されるので、本実施形態の表示パネル２０の保持構造の使用に適している。
【００５２】
したがって、本実施形態によると、省スペース化、薄型化を可能として、かつ容易に組立、リペア等の作業が行えると共に、衝撃にも強い、表示パネル２０の保持構造及びそれを備えた携帯電話機１等の電子機器を提供することができる。
【００５３】
（その他の実施形態）
本発明は、上記実施形態について、以下のような構成としてもよい。
【００５４】
すなわち、上記実施形態では、ホルダー２３は、略矩形容器状のものとしたが、その形状に限定されず、他の多角形や曲面を含む形状であってもよい。その場合には、いずれかの側壁にフレキ保持部を設ければよい。
【００５５】
上記実施形態では、第１側壁２３ａに平面視コ字状に膨出成形されたフレキ保持部２６を設けたが、このフレキ保持部は、いずれの第１乃至第４側壁２３ａ〜２３ｄに設けてもよく、また、フレキシブルケーブル２１との接着部を避けるためにフレキ保持部２６の形状を膨出させた形状としているが、この形状に限定されず、第１側壁２３ａを膨出させずに直接フレキ挿入口２８を形成してもよい。
【００５６】
上記実施形態では、表示パネル２０は、ＬＣＤで構成されているとしたが、有機ＥＬディスプレイで構成されていてもよい。
【００５７】
電子機器としては、ＰＣ、モバイルツール、電子辞書、電卓、複写機等でもよく、ＰＨＳやＰＤＡ等の携帯通信機器でもよい。
【００５８】
なお、以上の実施形態は、本質的に好ましい例示であって、本発明、その適用物や用途の範囲を制限することを意図するものではない。
【図面の簡単な説明】
【００５９】
【図１】本発明の実施形態にかかる携帯電話機の開いた状態を示す斜視図である。
【図２】本発明の実施形態にかかる携帯電話機の閉じた状態を示す斜視図である。
【図３】閉じた状態で裏側キャビネットを取り外した携帯電話機をヒンジ部側から見た斜視図である。
【図４】本発明の実施形態にかかる表示パネルの組立状態を示す斜視図である。
【図５】表示パネルの分解斜視図である。
【図６】従来技術にかかる表示パネルの分解斜視図である。
【図７】従来技術にかかる表示パネルの斜視図である。
【図８】フレキシブルケーブルの復元力により表示パネルが浮いた状態を示す図６相当図である。
【図９】別の従来技術にかかる表示パネルを示す図６相当図である。
【符号の説明】
【００６０】
８      液晶側基板（電子基板）
２０      表示パネル
２０ａ    側面
２１      フレキシブルケーブル
２１ａ    他端
２３      ホルダー
２３ａ    第１側壁
２３ａ〜２３ｄ  側壁
２３ｂ    第２側壁
２３ｅ    底壁
２３ｆ    表示パネル用開口
２４      導光板
２５      両面テープ
２５ａ    弱粘着面
２５ｂ    位置決め用凹部
２６      フレキ保持部
２８      フレキ挿入口
２９      パネル位置決め用突起
３０      ホルダー固定用爪
【図１】
2007271894.tif 000003
【図２】
2007271894.tif 000004
【図３】
2007271894.tif 000005
【図４】
2007271894.tif 000006
【図５】
2007271894.tif 000007
【図６】
2007271894.tif 000008
【図７】
2007271894.tif 000009
【図８】
2007271894.tif 000010
【図９】
2007271894.tif 000011